【手続補正書】
【提出日】平成22年1月7日(2010.1.7)
【手続補正１】
【補正対象書類名】明細書
【補正対象項目名】特許請求の範囲
【補正方法】変更
【補正の内容】
【特許請求の範囲】
【請求項１】  記録部に供給された記録媒体に対し、入力されたテンプレート画像に基づいて記録動作を行う記録手段を備えた情報処理機器において、
前記記録部に供給される記録媒体の種類を判別する記録媒体判別手段と、
前記テンプレート画像の形状を判別する画像判別手段と、
前記画像判別手段と記録媒体判別手段の各々の判別結果に基づき、前記テンプレート画像と前記記録媒体の種類との適合状態を判定する判定手段と、
前記判定手段により、前記テンプレート画像と前記記録媒体の種類とが適合していると判定した場合には、前記テンプレート画像と前記記録媒体とを用いて記録動作を実行し、前記判定手段により、前記テンプレート画像と前記記録媒体の種類とが適合しないと判定した場合には、警告表示を行うように制御する制御手段と、を備えたことを特徴とする情報処理機器。
【請求項２】  さらに、前記記録媒体を前記記録部へ供給可能に収納する記録媒体収納容器であって、前記記録媒体収納容器に収納される記録媒体の種類を表す媒体情報を格納した媒体情報格納手段を有している記憶媒体収納容器と結合する結合部と、
前記結合部を介して、前記媒体情報格納手段から前記媒体情報を読み出す媒体情報読み出し手段と、を有し、
前記制御手段は、前記媒体情報読み出し手段により読み出された媒体情報を用いることを特徴とする請求項１に記載の情報処理機器。
【請求項３】  入射する光学像を電気的画像信号に変換することにより入力画像情報を送出する撮像部を設けたことを特徴とする請求項１または２に記載の情報処理機器。
【請求項４】  前記制御手段の制御による前記警告表示後のユーザの指示により、前記記録手段による記録動作を実行可能としたことを特徴とする請求項１ないし３のいずれか１項に記載の情報処理機器。
【請求項５】  前記記録媒体判別手段は、記録媒体の種類として、記録媒体の形状を判別し、
前記判定手段は、記録媒体の形状が、前記テンプレート画像の形状に適合しているか否かを判定することを特徴とする請求項１ないし４いずれか１項に記載の情報処理機器。
【請求項６】  前記記録媒体判別手段は、記録媒体の種類として、記録媒体の規格サイズを判別することを特徴とする請求項５記載の情報処理機器。
【請求項７】  前記記録媒体判別手段は、記録媒体の種類として、記録媒体の縦横比を判別することを特徴とする請求項５記載の情報処理機器。
【請求項８】  前記判定手段は、前記画像判別手段と記録媒体判別手段の各々の判別結果に基づき、前記テンプレート画像の形状と記録媒体の種類との適合の程度を判定し、
前記制御手段は、前記テンプレート画像と記録媒体の種類との適合の程度に基づき、前記警告表示の内容を変更することを特徴とする請求項１ないし７のいずれか１項に記載の情報処理機器。
【請求項９】  前記判定手段は、前記画像判別手段と記録媒体判別手段の各判別結果に基づき、前記テンプレート画像の形状と記録媒体の種類との不適合の程度を、記録結果にもたらす影響の程度として判定し、
前記制御手段は、前記不適合が記録結果にもたらす影響の程度に応じて前記警告表示の内容の重要度を切り換えることを特徴とする請求項１ないし８のいずれか１項に記載の情報処理機器。
【請求項１０】  記録部に供給された記録媒体に対し、入力されたテンプレート画像に基づいて記録動作を行う記録手段を備えた情報処理機器の画像記録制御方法において、
前記記録部に供給される記録媒体の種類を判別する記録媒体判別ステップと、
前記テンプレート画像の形状を判別する画像判別ステップと、
前記画像判別ステップと記録媒体判別ステップの各々の判別結果に基づき、前記テンプレート画像と前記記録媒体の種類との適合状態を判定する判定ステップと、
前記判定ステップにより、前記テンプレート画像と前記記録媒体の種類とが適合していると判定した場合には、前記テンプレート画像と前記記録媒体とを用いて記録動作を実行し、前記判定ステップにより、前記テンプレート画像と前記記録媒体の種類とが適合しないと判定した場合には、警告表示を行うように制御する制御ステップと、を備えたことを特徴とする情報処理機器の画像記録制御方法。
【請求項１１】  さらに、前記記録媒体を前記記録部へ供給可能に収納する記録媒体収納容器であって、前記記録媒体収納容器に収納される記録媒体の種類を表す媒体情報を格納した媒体情報格納手段を有している記憶媒体収納容器と結合する結合部と、
前記結合部を介して、前記媒体情報格納手段から前記媒体情報を読み出す媒体情報を読み出しステップと、を有し、
前記制御ステップは、前記媒体情報読み出し手段により読み出された媒体情報を用いることを特徴とする請求項１０に記載の情報処理機器の画像記録制御方法。
【請求項１２】  前記制御ステップによる前記警告表示後のユーザの指示により、前記記録手段による記録動作を実行することを特徴とする請求項１０または１１に記載の情報処理機器の画像記録制御方法。。
【請求項１３】  前記記録媒体判別ステップは、記録媒体の種類として、記録媒体の形状を判別し、
前記判定ステップは、記録媒体の形状が、前記テンプレート画像の形状に適合しているか否かを判定することを特徴とする請求項１０ないし１２のいずれか１項に記載の情報処理機器の画像記録制御方法。
【請求項１４】  前記記録媒体判別ステップは、記録媒体の種類として、記録媒体の規格サイズを判別することを特徴とする請求項１３に記載の情報処理機器の画像記録制御方法。
【請求項１５】  前記記録媒体判別ステップは、記録媒体の種類として、記録媒体の縦横比を判別することを特徴とする請求項１３に記載の情報処理機器の画像記録制御方法。
【請求項１６】  前記判定ステップは、前記画像判別ステップと前記記録媒体判別ステップの各々の判別結果に基づき、前記テンプレート画像の形状と記録媒体の種類との適合の程度を判定し、
前記制御ステップは、前記テンプレート画像と記録媒体の種類との適合の程度に基づき、前記警告表示の内容を変更することを特徴とする請求項１０ないし１５のいずれか１項に記載の情報処理機器の画像記録制御方法。
【請求項１７】  前記判定ステップは、前記画像判別ステップと記録媒体判別ステップの各判別結果に基づき、前記テンプレート画像の形状と記録媒体の種類との不適合の程度を、記録結果にもたらす影響の程度として判定し、
前記制御ステップは、前記不適合が記録結果にもたらす影響の程度に応じて前記警告表示の内容の重要度を切り換えることを特徴とする請求項１０ないし１６のいずれか１項に記載の情報処理機器の画像記録制御方法。
【手続補正２】
【補正対象書類名】明細書
【補正対象項目名】０００６
【補正方法】変更
【補正の内容】
【０００６】
【課題を解決するための手段】
上記課題を解決するため、本願発明は、次のような構成を有するものとなっている。
すなわち、本願の第１の発明は、記録部に供給された記録媒体に対し、入力されたテンプレート画像に基づいて記録動作を行う記録手段を備えた情報処理機器において、前記記録部に供給される記録媒体の種類を判別する記録媒体判別手段と、前記テンプレート画像の形状を判別する画像判別手段と、前記画像判別手段と記録媒体判別手段の各々の判別結果に基づき、前記テンプレート画像と前記記録媒体の種類との適合状態を判定する判定手段と、前記判定手段により、前記テンプレート画像と前記記録媒体の種類とが適合していると判定した場合には、前記テンプレート画像と前記記録媒体とを用いて記録動作を実行し、前記判定手段により、前記テンプレート画像と前記記録媒体の種類とが適合しないと判定した場合には、警告表示を行うように制御する制御手段と、を備えたことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、本願の第２の発明は、記録部に供給された記録媒体に対し、入力されたテンプレート画像に基づいて記録動作を行う記録手段を備えた情報処理機器の画像記録制御方法において、前記記録部に供給される記録媒体の種類を判別する記録媒体判別ステップと、前記テンプレート画像の形状を判別する画像判別ステップと、前記画像判別ステップと記録媒体判別ステップの各々の判別結果に基づき、前記テンプレート画像と前記記録媒体の種類との適合状態を判定する判定ステップと、前記判定ステップにより、前記テンプレート画像と前記記録媒体の種類とが適合していると判定した場合には、前記テンプレート画像と前記記録媒体とを用いて記録動作を実行し、前記判定ステップにより、前記テンプレート画像と前記記録媒体の種類とが適合しないと判定した場合には、警告表示を行うように制御する制御ステップと、を備えたことを特徴とする。
【手続補正５】
【補正対象書類名】明細書
【補正対象項目名】０００９
【補正方法】削除
【補正の内容】